(57)【要約】【課題】  本体と蓋のベース面には保持部を設け、該保持部に形成した係合凸部に円盤状記録媒体の中央穴を嵌めて取付けることが出来る２枚用の収納ケースであって、必要に応じて１枚用の収納ケースに変更することが出来る円盤状記録媒体の収納ケースの提供。【解決手段】  本体１又は蓋２の何れか一方の保持部７，９にリング状カバー１１を取付けて円盤状記録媒体１０の取付けが出来ないようにしている。【選択図】    図３
2005186950.tif 000002
【特許請求の範囲】
【請求項１】
本体と蓋のベース面には保持部を設け、該保持部に形成した係合凸部に円盤状記録媒体の中央穴を嵌めて取付けることが出来る２枚用の円盤状記録媒体の収納ケースにおいて、何れか一方の保持部にカバーを取付けて円盤状記録媒体の取付けが出来ないようにしたことを特徴とする円盤状記録媒体の収納ケース。
【請求項２】
上記カバーをリング状とし、係合凸部に嵌合した請求項１記載の円盤状記録媒体の収納ケース。
【請求項３】
上記カバーをコ型形状として両アームの間には被覆板を設け、保持部両側には係合穴を形成し、この係合穴にアームを嵌入すると共に保持部アームを被覆板にてカバーした請求項１記載の円盤状記録媒体の収納ケース。
【請求項４】
本体と蓋のベース面には保持部を設け、該保持部に形成した係合凸部に円盤状記録媒体の中央穴を嵌めて取付けることが出来る２枚用の円盤状記録媒体の収納ケースにおいて、何れか一方の保持部をベース面に起立した取付けガイドに着脱可能に取付けたことを特徴とする円盤状記録媒体の収納ケース。
【請求項５】
上記取付けガイドに保持部の向きを上下逆にして取付け可能とした請求項４記載の円盤状記録媒体の収納ケース。
【発明の詳細な説明】
【技術分野】
【０００１】
本発明はＣＤ、ＤＶＤ、ゲームソフト等の円盤状記録媒体を２枚収納可能とし、必要に応じて１枚収納用に変更することが出来る円盤状記録媒体の収納ケースに関するものである。
【背景技術】
【０００２】
ＣＤ等の円盤状記録媒体はその外形を薄い円盤形とし、中心には小さな円形穴が貫通して設けられている。そして、該円盤状記録媒体は厚さの薄い収納ケースに収納されているが、該収納ケースはベース側最広面を持つ箱型形状の本体とカバー側最広面を持つ蓋から成っている。蓋は繋ぎ部を介して本体に繋がっていて、本体を被覆することが出来る。勿論、上記繋ぎ部を持たないカバーケースもあり、又引出し型式で本体が引き出されるような形態の収納ケースもある。
【０００３】
ところで、円盤状記録媒体は本体のベース中央部に突出して設けられる保持部が円盤状記録媒体の中央に設けている穴に嵌ることで取付けられる。該保持部の形態は色々知られているが、穴に嵌って取付けられた円盤状記録媒体がガタ付くことなく安定し、勿論、外れることなく、しかし、取外す際には取外し易いように機能することが求められる。
【０００４】
円盤状記録媒体が保持部から外れるならばケース内にてガタ付いて記録面にキズが発生し、円盤状記録媒体自体が破損する虞もある。一方、収納ケースには２枚の円盤状記録媒体を収容することが出来るように構成したものあるが、２枚を同じケースに収容することで間に仕切り板を設けるならば、該収納ケースの厚さが大きく成ってしまう。しかし、仕切り板を設けることなく２枚の円盤状記録媒体を同じ空間に収容する場合、保持部から外れる事で互いに擦れ合ってキズが発生する頻度が高くなる。
【０００５】
出願人は平成１５年２月２１日付けで「レンタル又は販売用記録媒体の収納ケース」の特許出願を行っている(特願２００３−４４２９２号)。この「レンタル又は販売用記録媒体の収納ケース」とは、「ＣＤ等の円盤状記録媒体を収容する収納ケースにおいて、本体のベース面中央部には円盤状記録媒体の中央穴に嵌る複数の係合ツメを起立し、同じく蓋のベース面中央部には別の円盤状記録媒体の中央穴に嵌る複数の係合ツメを起立し、蓋を閉じた場合には本体ベース面に起立した係合ツメと蓋のベース面に起立した係合ツメが互いに噛み合って中心側へ撓み変形することを阻止するようにしたことを特徴とするレンタル又は販売用記録媒体の収納ケース。」である。
【０００６】
本発明が対象とする２枚収納可能な収納ケースは、収納されて保持部に保持された円盤状記録媒体がガタ付くことなく安定するだけでなく、１枚用の収納ケースに変更することが可能なようにしたものである。
ＣＤ，ＤＶＤには１枚ものが圧倒的に多いが、２枚組のものも存在する。そして貸し出し用収納ケースには１枚用、２枚用が準備され、１枚用の収納ケースには保持部が１箇所に設けられ、２枚用の収納ケースには本体と蓋の２箇所に保持部が設けられている。
【０００７】
レンタルショップとしては、１枚用、２枚用の両方の貸し出し収納ケースを準備しているが、店内での１枚組と２枚組の比率が変化する場合があり、その時のレンタル用円盤状記録媒体の数量にあわせることは困難である。この場合、２枚用の貸し出し収納ケースを多めに準備しておいて、これを１枚用の貸し出し収納ケースとして使用することは可能である。
【０００８】
しかし、２枚用の貸し出しケースに１枚の円盤状記録媒体を収容した場合、借りた顧客は１枚組か２枚組か分からない為に疑問が発生する。そして、返却時には本体側と蓋側の何れの保持部にも円盤状記録媒体を取付け出来る為に、レンタルショップではバーコードにて管理している関係上、貸し出しケースに収容される円盤状記録媒体の位置が大切となる。すなわち、反対側に円盤状記録媒体が取り付けられて返却された場合には、バーコードが読み難くなる。
【特許文献１】特願２００３−４４２９２号に係る「レンタル又は販売用記録媒体の収納ケース」
【発明の開示】
【発明が解決しようとする課題】
【０００９】
このように、上記２枚組の特願２００３−４４２９２号に係る「レンタル又は販売用記録媒体の収納ケース」を１枚用の貸し出しケースとして使用する場合には上記のごとき問題がある。本発明が解決しようとする課題はこの問題点であり、２枚の円盤状記録媒体を収納することが出来るケースに、１枚の円盤状記録媒体を収納しても顧客に疑問を抱かせることなく、返却時にも正しい位置に収納されるケースを提供する。
【課題を解決するための手段】
【００１０】
本発明に係る円盤状記録媒体の収納ケースは、本体と蓋から成り、蓋は本体を被覆することが出来る。本体のベース中央部及び蓋のベース中央部には保持部が設けられ、コンパクトディスク等の円盤状記録媒体の中央部が保持される。ここで、保持部の具体的な形態は限定しないが係合凸部を有し、該係合凸部は円盤状記録媒体の中央穴に嵌って簡単に外れないように保持し、取外す場合には容易に外れる支持部構造と成っている。
【００１１】
ところで、本発明に係る収納ケースは２枚の円盤状記録媒体を収納することが出来る訳であるが、必要に応じて１枚用に変更可能と成っている。そこで、円盤状記録媒体が取付けられる保持部にカバーを取付けて該保持部に円盤状記録媒体を取付け出来ないようにする。又、本体又は蓋の何れか一方の保持部を取外すことが出来る構造としている。上記保持部カバーの形態は特に限定せず、又保持部の具体的な着脱構造も自由である。
【発明の効果】
【００１２】
本発明に係る円盤状記録媒体の収納ケースは、２枚の円盤状記録媒体を収納することが出来ると共に、必要に応じて１枚の円盤状記録媒体を収納出来る。ただし１枚用として使用する場合には、円盤状記録媒体が取付けられる保持部にカバーを取付けて該保持部に円盤状記録媒体の取付けが出来ないようにすることが出来る。
【００１３】
又、上記保持部を取外すことで、円盤状記録媒体の取付けが出来ないように出来る。従って、２枚用の収納ケースであっても１枚の円盤状記録媒体を収納することが可能となり、成形金型は１種類で済む為に金型費は安くなる。そして、収納ケースの管理も、１枚用と２枚用に区別する必要はなく便利である。また、１枚用として使用する場合には、片方の保持部に円盤状記録媒体の取付けが出来ないように成っている為に、２枚用の収納ケースと取り違うことはない。
【実施例】
【００１４】
図１は本発明に係る円盤状記録媒体の収納ケースを示す実施例である。１は本体、２は蓋を表し、本体１はベース側最広面を持つ箱型形状を成し、蓋２はカバー側最広面を有している。そして、蓋２は繋ぎ部３を介して本体１に繋がっていて、しかも本体１と蓋２の縁に設けている連結部４，４・・を噛み合わせると共に、該連結部４，４・・の軸穴に軸ピン５，５を挿通することにより蓋２を開閉可能にし、該本体１を被覆することが出来る。
【００１５】
同図は蓋２が連結部４，４・・に軸ピン５，５を挿通して収納ケースとして組み立てた状態である。繋ぎ部３は本体１と蓋２との境界が薄肉化している為に、屈曲して蓋２に設けている連結部４，４を本体側に設けている連結部４，４・・に噛み合わせ、軸穴に軸ピン５，５を挿通する。従って、蓋２は本体１に対して連結部４，４・・の軸ピン５，５を介して開閉することが出来る。
【００１６】
本体１のベース面６の中央部には保持部７を設け、同じく蓋２のベース面８にも保持部９を設けている。本体１の保持部７及び蓋２の保持部９はベース面６，７から突出して設けられ、そして該保持部７，９の形状は概略長円形を成し、その向きは互いに垂直方向にクロスしている。
【００１７】
図２は上記本体１及び蓋２には円盤状記録媒体となるディスク１０，１０が保持部７，９に取付けられている。すなわち、２枚のディスク１０，１０を収納する場合である。図３は１枚のディスク１０を本体１に収納し、蓋２にはディスク１０が収納されていない１枚用としての収納ケースである。蓋２の保持部９にはディスク１０が取付け出来ないようにリング状カバー１１が取付けられている。
【００１８】
図４は蓋２の保持部９にディスク１０を取付けた場合であり、本体１の保持部７にはリング状カバー１１が嵌ってディスク１０の取付けが出来ないように成っている。ここで、ディスク１０が取付けられる保持部７，９の構造及び形態は限定せず、図５はその具体例を示している。
【００１９】
同図は本体ベース面６及び蓋ベース面８に設けている保持部７，９の拡大図であるが、保持部７，９の載置面１２にはアーム１３ａ，１３ｂが形成され、載置面１２とはスリット溝１４，１４にて切り離されていて、アーム先端には概略半円柱の係合凸部１５ａ，１５ｂを突出している。そこで、係合凸部１５ａ，１５ｂの間には収縮出来るように繋ぎ１６が介在しているが、組み合わされて高さの低い円柱となり、該係合凸部１５ａ，１５ｂはディスク１０の中央穴に嵌って係合する。ここで、係合凸部１５ａ，１５ｂを上方から押圧するならば、アーム１３ａ，１３ｂは撓むと共に、肉厚の薄い繋ぎ１６が湾曲変形して係合凸部１５ａ，１５ｂは収縮することが出来る。
【００２０】
アーム１３ａ，１３ｂは載置面１２からスリット溝１４，１４によって切り離されている為に、係合凸部１５ａ，１５ｂを押圧することで撓み変形することが出来る。アーム１３ａ，１３ｂが撓み変形出来るように、ベース面６，８から僅か上方に突出した位置に設けられている。そして、アーム１３ａ，１３ｂから別のスリット溝を介して切り離された係合ツメ１７ａ，１７ｂが設けられ、該係合ツメ１７ａ，１７ｂは係合凸部１５ａ，１５ｂと対を成している。
【００２１】
すなわち、概略半円柱の係合凸部１５ａ，１５ｂの一部が切欠かれた位置に係合ツメ１７ａ，１７ｂが起立している。しかも、係合ツメ１７ａ，１７ｂの先端は係合凸部１５ａ，１５ｂより僅かに高く起立している。そこで、ディスク１０は保持部７，９の載置面１２に載置されると共に、係合凸部１５ａ，１５ｂ、及び係合ツメ１７ａ，１７ｂはディスク１０の中央穴に嵌って係合し、係合ツメ１７ａ，１７ｂは中央穴の内周縁に係止する。
【００２２】
ディスク１０は係合ツメ１７ａ，１７ｂが中央穴に嵌るように保持部７，９の載置面１２に載せられるが、係合凸部１５ａ，１５ｂ及び係合ツメ１７ａ，１７ｂがディスク１０の中央穴内周面に当って押下げられ、その結果、アーム１３ａ，１３ｂは撓み変形する。そして、係合凸部１５ａ，１５ｂ、及び係合ツメ１７ａ，１７ｂは収縮して中央穴に嵌ることが出来る。両係合凸部１５ａ，１５ｂの間には変形自在な繋ぎ１６が介在している為に、収縮して中央穴に嵌ることが出来、係合ツメ１７ａ，１７ｂは中心側へ撓み変形する。
【００２３】
中央穴に嵌った係合凸部１５ａ，１５ｂは、アーム１３ａ，１３ｂが元の位置に戻ることで一旦収縮した後に拡大して中央穴に嵌合する。そして、係合ツメ１７ａ，１７は中央穴の内周縁に係止する。このように、アーム１３ａ，１３ｂが撓み変形することで、ディスク１０に無理をかけることなく保持部７，９に取付けることが出来る。
【００２４】
逆に、ディスク１０を保持部７，９から取外す場合、係合凸部１５ａ，１５ｂを上方から押圧する。押圧するならば、アーム１３ａ，１３ｂが撓み変形して係合凸部１５ａ，１５ｂ、及び係合ツメ１７ａ，１７ｂは収縮し、中央穴から外れる。この場合、ディスク１０は載置面１２に載っていて、係合凸部１５ａ，１５ｂを押圧しても該ディスク１０の中央部が無理に撓むことはない。
【００２５】
そして、一旦係合凸部１５ａ，１５ｂ、及び係合ツメ１７ａ，１７ｂが収縮してディスク１０の中央穴から外れるならば、再び中央穴に嵌ることはなく、ディスク１０は簡単に取外される。一方、保持部７，９に載って取付けられているディスク１０を取外す場合、係合凸部１５ａ，１５ｂを押圧するのみならず、外周を摘んで引き上げることも出来る。すなわち、容易に撓むことが出来る係合ツメ１７ａ，１７ｂが中央穴の内周縁から外れることで、ディスク１０を取外し可能となる。
【００２６】
図５の(ｂ)は保持部７，９の係合凸部１５ａ，１５ｂにリング状カバー１１を嵌めた場合で、(ｃ)はリング状カバー１１を示している。リング状カバー１１は断面Ｌ型を成して、係合ツメ１７ａ，１７ｂに係合して外れ難く成っている。該リング状カバー１１を係合凸部１５ａ，１５ｂに嵌める操作はディスク１０を取付ける場合と同じであり、取外す操作も同様である。
【００２７】
このように、係合凸部１５ａ，１５ｂにリング状カバー１１が嵌っているならば、ディスク１０を取付けることは出来ない。ただし、ディスク１０を係合凸部１５ａ，１５ｂに取付けることが出来ないようにするカバーは上記リング状カバー１１に限定せず、図６(ｃ)に示すコ型カバー１８を保持部７，９に取付けることが出来る。
【００２８】
図６(ａ)は保持部７，９の形態を示し、(ｂ)は上記コ型カバー１８を保持部７，９に取り付けた場合を示している。ここで、保持部７，９としての基本構造は前記図５(ａ)の場合と同じであるが、載置面１２，１２を両側へ延ばしてＬ型係合部１９，１９を設け、ベース面６，８との間に係合穴２０，２０を形成している。この保持部７，９にコ型カバー１８を取付けた状態を(ｂ)に示している。
【００２９】
コ型カバー１８は２本のアーム２１，２１を有し、アーム基部には被覆板２２を備え、該アーム２１，２１は保持部７，９の係合穴２０，２０に嵌入すると共に、被覆板２２は片方のアーム１３ａをカバーする。アーム先端には小さなツメ２３，２３が突出して設けられ、該ツメ２３，２３はＬ型係合部１９，１９に係止して外れないようになる。このように、コ型カバー１８が取付けられることで、アーム１３ａが被覆板２２にてカバーされ、その結果、ディスク１０は係合凸部１５ａ，１５ｂに取付けられることはない。
【００３０】
図７は前記図６(ｃ)に示すコ型カバー１８を蓋２に設けている保持部９に取付けた収納ケースを示す実施例である。本体１の保持部７にはディスク１０が取付けられているが、蓋２の保持部９に上記コ型カバー１８が取り付けられることで、蓋側にディスク１０を取付けできないことになる。このように、カバーはリング状カバーであったり、コ型カバーであったりするが、その他の形態とすることは自由であり、保持部にディスクの取付が出来ないような形態であればよい。
【００３１】
図８は本発明に係る収納ケースを示す他の実施例である。基本的な構造は前記図１の場合と同じであるが、蓋２に設けている保持部９は着脱可能な構造と成っていて、１枚用の収納ケースとして使用する場合には該保持部９を取外すことが出来る。すなわち、蓋２のベース面８には取付けガイド２４，２４が設けられ、該取付けガイド２４，２４に保持部９が嵌って取着されている。
【００３２】
図８(ａ)はベース面８に起立して設けている取付けガイド２４，２４を示し、Ｌ型断面を成した取付けガイド２４，２４は内側に係合溝２５，２５を形成しており、該係合溝２５，２５に(ｃ)に示す保持部９が取付けられる。保持部９の両側には係合片２６，２６を有し、この係合片２６，２６が係合溝２５，２５に係合して取付けられる。(ｂ)は取付けガイド２４，２４に保持部９が取付けられた場合である。取付けられた保持部９が外れないように、係合片２６，２６の中央には凹部が形成され、取付けガイド２４，２４に設けた凸部が該凹部に嵌っている。
【００３３】
図１０は保持部９の別形態を示し、(ｄ)に示すように保持部９の両側には小さなガイド片２７，２７を沿設している。そして、蓋２のベース面８にはＬ型断面の取付けガイド２８，２８を起立し、取付けガイド先端にはガイド溝２９，２９を設け、このガイド溝２９，２９にガイド片２７，２７が嵌って(ａ)のように取付けられる。又、保持部９は(ｂ)に示すように、上下を逆にして取付けることが出来る。
【００３４】
すなわち、ディスク１０を取付ける場合には、(ａ)のように保持部９を取付けガイド２８，２８に取付け、ディスク１０を取付けないで１枚用として使用する場合には、(ｃ)のように保持部９を取付けガイド２８，２８から取外すことが出来ると共に、(ｂ)に示すように係合凸部１５ａ，１５ｂが下側になるように上下を逆にして取付けることも可能である。このような取付け構造とすれば、保持部９を失うことはなく、２枚用に変更する際には(ａ)に示す上向きに保持部９を取付け出来る。
【００３５】
そして、取付けガイド２８，２８に取付けられた保持部９が外れないように、取付けガイド２８，２８の両端にはストッパー３０，３０・・が設けられている。保持部９の基本的な形態は図５に示す保持部と同じである。
【図面の簡単な説明】
【００３６】
【図１】本発明に係る収納ケース。
【図２】本発明の収納ケースの本体及び蓋にディスクを収納した場合。
【図３】本発明の収納ケースの本体にだけディスクを収納した場合。
【図４】本発明の収納ケースの蓋にだけディスクを収納した場合。
【図５】(ａ)は保持部、(ｂ)は保持部の係合凸部にリング状カバーを嵌めた場合、(ｃ)はリング状カバー。
【図６】(ａ)は保持部、(ｂ)は保持部の係合穴にコ型カバーを嵌めた場合、(ｃ)はコ型カバー。
【図７】本発明に係る収納ケース。
【図８】本発明に係る収納ケース。
【図９】(ａ)蓋のベース面に起立した取付けガイド、(ｂ)は保持部を取付けガイドに取付けた場合、(ｃ)保持部形態。
【図１０】(ａ)は取付けガイドに取付けられた保持部、(ｂ)は取付けガイドに逆向きに取付けられた保持部、(ｃ)蓋のベース面に起立した取付けガイド、(ｄ)は保持部形態。
【符号の説明】
【００３７】
１  本体
２  蓋
３  繋ぎ部
４  連結部
５  軸ピン
６  ベース面
７  保持部
８  ベース面
９  保持部
10  ディスク
11  リング状カバー
12  載置面
13  アーム
14  スリット溝
15  係合凸部
16  繋ぎ
17  係合ツメ
18  コ型カバー
19  Ｌ型係合部
20  係合穴
21  アーム
22  被覆板
23  ツメ
24  取付けガイド
25  係合溝
26  係合片
27  ガイド片
28  取付けガイド
29  ガイド溝
30  ストッパー
【図１】
2005186950.tif 000003
【図２】
2005186950.tif 000004
【図３】
2005186950.tif 000005
【図４】
2005186950.tif 000006
【図５】
2005186950.tif 000007
【図６】
2005186950.tif 000008
【図７】
2005186950.tif 000009
【図８】
2005186950.tif 000010
【図９】
2005186950.tif 000011
【図１０】
2005186950.tif 000012